(57)【要約】  本発明は低セメン含有コンクリート用の水硬性バインダーに関する。このセメントの粉砕鉱物部分はBET比表面積が 8 m２/g から 20 m２/gである不完全焼成アルミナを含む。該バインダーは使用するシリカヒュームの種類に関係なく使用特性が安定し一定の使用特性を持つコンクリートを調製することを可能とし、施工について広い範囲の作業温度で使用することができる。  また、本発明は耐火コンクリートの調製、耐火コンクリート及びその製造方法に関する。【特許請求の範囲】
【請求項１】
シリカヒュームを含む耐火低セメント含有コンクリート用のバインダーで、該バインダーが以下のものを含むことを特徴とする。
- 粉砕鉱物部分の総重量に基づき、Al2O3を60から80重量％、40重量％以下のCaOを含むクリンカーを30から80重量％含む該粉砕鉱物部分。
-少なくとも1つの硬化促進剤
-少なくとも1つの硬化遅延剤
-少なくとも1つの解凝剤  
ここに、該粉砕鉱物部分は該粉砕鉱物部分の総重量に基づき、BET比表面積比が8 m２/g から 20 m２/g の間、好ましくは10 m２/g から15 m２/gの間である不完全焼成アルミナを20から70重量％含む。 
【請求項２】
該アルミナが遷移アルミナを10から50重量％、残りがアルミナαであることを特徴とする請求項１のコンクリート用バインダー。
【請求項３】
該粉砕鉱物部分が少なくとも7000 cm２/gのブレイン比表面積を示すことを特徴とする請求項１のコンクリート用バインダー。
【請求項４】
硬化促進剤がリチウム塩、好ましくは炭酸リチウムであることを特徴とする請求項１のコンクリート用バインダー。
【請求項５】
硬化遅延剤がカルボン酸、好ましくはクエン酸であることを特徴とする請求項１のコンクリート用バインダー。
【請求項６】
解凝剤がポリアクリレート、ポリカルボキシレート・ポリオックス (PCP)、又はポリ燐酸であることを特徴とする請求項１のコンクリート用バインダー。
【請求項７】
混合前に以下のものを含む低セメント含有コンクリートの調製方法。A
-  該調製物の総重量に基づき、請求項1から6のいずれかに規定されたバインダーを 15から 90重量％、及び
-  該調製物の総重量に基づき、シリカヒュームを10から 85重量％。
【請求項８】
混合前に以下のものを含むコンクリート。
-  コンクリートの総重量に基づく骨材を60 から 90 重量％
-  2コンクリートの総重量に基づくシリカヒュームを2から10%、好ましくは3から 7重量％、及び
-  コンクリートの総重量に基づき、請求項１で規定したバインダーを2から 20重量％。
【請求項９】
シリカヒュームを含む低セメント含有コンクリートの製造方法で、該方法は以下のステップを含む。 
(a) 以下のものを含む鉱物部分の共粉砕 
-  該鉱物部分の総重量に基づき、クリンカーを30 から80重量％。該クリンカーはAl2O3を60から80重量％、CaOを40重量％以下含む。 
-  粉砕鉱物部分を得るため、該鉱物部分の総重量に基づき、BET比表面積が8 m２/gから15 m２/gの間、好ましくは10 m２/gの間15 m２/gである20から70重量％の不完全焼成アルミナ。
(b)
少なくとも1つの硬化促進剤、少なくとも1つの硬化遅延剤、及び少なくとも1つの解凝剤で得た粉砕鉱物部分の混合。
【発明の詳細な説明】
【技術分野】
【０００１】
本発明は耐火コンクリート、特にシリカヒュームを含む低セメント含有または極低セメント含有のモノリシック耐火コンクリートに関する。低セメント含有耐火コンクリートは既知のものである。
【背景技術】
【０００２】
このようなコンクリートは例えば、コンクリートの総重量に基づいた重量％で以下のような組成を有する。
- 0から6 mm の骨材：80%
- 微粒アルミナ：10%
- シリカヒューム：5%
- 5% アルミン酸カルシウム：5%
- 混合剤：0.1%  
- 水分：5 から 6%
【０００３】
シリカヒュームはコンクリートの粒状積層(granular stacking)を最大化し、水の使用量を少なくしコンクリートのレオロジー挙動を改善することができる。このようにして、シリカヒュームは低セメント含有の高密度コンクリートの実現に貢献している。 
【０００４】
さらに、打設及び硬化後にシリカヒュームは特に良好な耐磨耗性を実現する特定の耐火フェーズに貢献している。低セメント含有量の耐火コンクリートを施工する場合、例えば、使用したシリカヒュームまたはアルミナの種類や品質に関連して、獲得したコンクリート特性に大きな変動性があることを観察することができる。 
【０００５】
低セメント含有コンクリートの加工性（ワーカビリティ）は施工温度に応じて観察することができる。
【０００６】
例えば、燐酸ナトリウムまたはポリ燐酸ナトリウムを混合剤として含む、低セメント含有耐火コンクリートが開発されている。このようなコンクリートは使用するシリカヒュームの種類に応じて特性に変化が見られ、コンクリートの施工作業温度に敏感に反応する。
【０００７】
このように、使用するアルミナまたはシリカヒュームの種類が変化したとき、製造バッチごとのコンクリートの使用特性を安定、一定に維持するため、耐火コンクリートの組成、特に混合剤の含有量を変える必要のあることが多い。このことは、経費のかかる可能性がある多くの試験が必要であることを意味する。さらに、レオロジーを改善することができる混合剤の使用がコンクリートの流動性を増加させるが硬化過程を遅らせる。
【０００８】
特定の場合、使用するシリカヒュームの品質がよくない場合、硬化またはレオロジーに関して受容可能な特性を有するコンクリートを製造することさえも不可能となる。
【０００９】
さらに、耐火コンクリートの製造に使用するシリカヒュームの品質はその出所と製造に関して、非常にまちまちである。このように、シリカヒュームはpH、不純物割合または粒度分布はその出所に関して大きく変わる。 
【発明の開示】
【発明が解決しようとする課題】
【００１０】
従って、新しい耐火コンクリートに要求されるのはその製造に使用するシリカヒュームの種類に関わらず使用特性が安定し一定で、施工時に広範な作業温度において使用可能なことである。
【００１１】
これらの特徴は、例えばある組成の特定の成分の品質が変化するとき、またはそれらの打設作業温度が変化するときにワーカビリティや硬化について良好な使用特性を有するというコンクリートの能力を規定する“堅牢性”という表現によって表される。
【課題を解決するための手段】
【００１２】
該出願者は上記の制限事項を満たす珪素を含む低セメント含有の耐火コンクリートの水硬性バインダーを開発した。該バインダーは以下のものを含む。 
- 該粉砕鉱物部分の総重量に基づき、60から80重量％のAl2O3、40重量％以下のCaOを含むクリンカーを30から80 重量％含む該粉砕鉱物部分。
- 少なくとも1つの硬化促進剤
- 少なくとも１つの硬化遅延剤
- 少なくとも１つの解凝剤
【００１３】
本発明に従い、該粉砕鉱物部分は、さらに該粉砕鉱物部分の総重量に基づき、重量で20%から70%の割合でBET比表面積が8 m２/g から 20 m２/gの間、好ましくは10 m２/g から15 m２/gの間である不完全焼成のアルミナを含む。
【００１４】
最も好ましくは、BET比表面積は10 m２/g から12 m２/g の間である。
【００１５】
本発明に従い、"施工作業温度”という用語はコンクリートが混合し打設される温度を意味する。
【００１６】
“BET比表面積”という用語は、ブルナウアー、エメット及びテラー（BET）によって考案された固体の外部と内部の総質量表面積を示す。BET比表面積は閉止部の空隙率を測定するものではない。ブルナウアー、エメット及びテラー(BET)法 はISO 9277: 1995規格に記載されている。
【００１７】
本発明において、“不完全焼成アルミナ”という用語は、温度及び焼成時間が変化したためアルミナが全部はアルミナaに変化しない状態で焼成によって得られたアルミナを意味する。このように、焼成中、不完全焼成アルミナ
は一部分であるが完全にはアルミナαに変化しない。焼成中にアルミナに変化しなかったアルミナαは以下の記述では”遷移アルミナ“と記載する。
【発明を実施するための最良の形態】
【００１８】
好ましい実施形態において、本発明におけるバインダーの不完全焼成アルミナは10から50重量％の遷移アルミナを含み、残りはアルミナαである。
【００１９】
使用するクリンカーは鉱物学相CA,  CA2を含み、選択的にはCA12A7及び（又は）アルミナを含む。
【００２０】
本発明による不完全焼成アルミナは、実施した混合がBET比表面積比が8
m２/g から 20 m２/gの間、好ましくは10 m２/g と15 m２/gの間、最も好ましくは10 m２/g から 12 m２/gの間である場合、異なるBET比表面積を有する数種類のアルミナを混合することによって得ることができる。 
【００２１】
該出願者が開発した水硬性バインダーは2.5%以下のCaOを含む耐火コンクリートの製造のために理想的である。このようなコンクリートは“低セメント含有コンクリート”または”低セメントキャスタブル（LCC）”と呼ばれる。 
【００２２】
該出願者が開発したバインダーは1%以下のCaOを含む耐火コンクリートの製造について理想的である。このようなコンクリートは”極低セメント含有コンクリート“または”極低セメントキャスタブル(ULCC)“と呼ばれる。 
【００２３】
例1で示すように、上記で規定されたバインダーにより、使用するシリカヒュームの種類が変わっても、特にワーカビリティ及び硬化に関し十分で一定した使用特性を有するコンクリートを製造することができる。 
【００２４】
同様に、上記で規定したバインダーにより、コンクリートの施工作業温度が変っても十分で安定した特性を有するコンクリートを製造することができる。このように、例2では、該出願者は、本発明によるバインダーで調製したコンクリートのワーカビリティ及び硬化に関し、どのようなコンクリートの施工作業温度であっても性能変動が軽減されることを示した。
【００２５】
最後に、例３において、該出願者は、コンクリートの施工作業温度が低い場合、本発明によるバインダーで調製されたコンクリートは使用するシリカヒュームの種類が変わってもワーカビリティ及び硬化に関して性能変動が低減することを示した。
【００２６】
このように、上記で規定されたバインダーによるコンクリートは、(i)使用するシリカヒュームの種類、(ii)使用する骨材の種類、及び(iii)コンクリートの施工作業温度について特に堅牢である。
【００２７】
バインダー組成において粉砕鉱物部分は、該粉砕鉱物部分の総重量に基づいた重量で40から60重量％のクリンカー、該粉砕鉱物部分の総重量に基づいた重量で50重量％の不完全焼成アルミナを含有することがある。
【００２８】
最も好ましくは、バインダーの組成における粉砕鉱物部分な該粉砕鉱物部分の総重量に基づくクリンカーを50重量％、該粉砕鉱物部分の総重量に基づく不完全焼成アルミナを50重量％含む。
【００２９】
最も好ましくは、不完全焼成アルミナは
-  アルミナαの重量で80パーツ及び
-  遷移アルミナの重量で20 パーツ
を含む。
【００３０】
いくつかの種類の不完全焼成アルミナに上記で規定したバインダーの製造に適している。BET比表面積が12 m2/gであるアルミナ、またはBET比表面積が9 m2/gであるアルミナを指摘することができる。
【００３１】
該粉砕鉱物部分は少なくとも7000 cm2/gのブレイン比表面積を示すことが好ましい。
【００３２】
本発明の対象であるバインダーは鉱物部分の総重量に基づき、硬化促進剤を0.03から重量％含み、粉砕鉱物部分の重量に基づき、硬化促進剤を0.3から0.5重量％含むことが好ましい。
【００３３】
バインダーの製造に特に適している硬化促進剤はリチウム塩、特に炭酸リチウムである。
【００３４】
本発明の対象であるバインダーは粉砕鉱物部分の総重量に基づいて、硬化遅延剤を0.05から1.5重量％含み、粉砕鉱物部分の重量に基づき、硬化遅延剤を0.4から1.0重量％含むことが好ましい。
【００３５】
硬化遅延剤はカルボキシル酸、特にクエン酸が好ましい。
【００３６】
バインダーは鉱物部分の総重量に基づいて、解凝剤を0.05から2重量％含み、粉砕鉱物部分の重量に基づき、解凝剤を0.2から0.6重量％含むことが好ましい。
【００３７】
解凝剤はポリアクリレート、ポリカルボキシレート・ポリオックス (PCP)、又はポリ燐酸であることが好ましい。
【００３８】
該出願者は例１から3において、上記で規定するバインダーは正確な量の硬化促進剤、硬化遅延剤及び解凝剤を含んでおり、使用するシリカヒュームの種類に対して特に耐性を有することを示した。
【００３９】
また、本発明は混合前に以下のものを含む低セメント含有コンクリートの調製に関する。
-  該調製の総重量に基づいて、上記で規定したバインダーを15から90重量％、及び
-  該調製の総重量に基づく、シリカヒュームを10から85重量％。
【００４０】
本発明による、“シリカヒューム”はミクロンやナノメーター単位の大きさを持つ粒状のシリカを意味する。使用するシリカヒュームはヨーロッパ規格
“EN 13263 ”に準拠する化学組成を持つシリカヒュームとすることができる。使用するシリカは沈降シリカであってもよい。
【００４１】
また、本発明は混合前に以下のものを含むコンクリートに関する。
-  コンクリートの総重量に基づく骨材を 60から 90重量％。
-  コンクリートの総重量に基づくシリカヒュームの２から10重量％、 好ましくはコンクリートの総重量に基づきシリカヒュームの3から7重量％、及び
-  コンクリートの総重量に基づき、上記で規定されたバインダー、2から20重量％
【００４２】
該コンクリートは以下を含むことが好ましい。
-  コンクリートの総重量に基づく骨材を70から90重量％
-  コンクリートの総重量に基づくシリカヒュームを2から 10重量%、及び
-  コンクリートの総重量に基づき、上記に規定したバインダーを5から 15重量％。
【００４３】
本発明は低セメント含有バインダーの調製に関し、該方法は以下のステップを含む。 
(a) 以下のものを含む鉱物部分を共粉砕すること。
-  該混合物の総重量に基づき、重量％で60から80%のAl2O3, 40%のCaOを含む、30から80重量％のクリンカー 
-  該粉砕鉱物部分を得るために、BET比表面積が8 m２/g から 20 m２/g 、好ましくは10 m２/gから15 m２/gである不完全焼成アルミナを該混合物の総重量に基づき、 20から 70 の重量％、及び 
(b)
少なくとも１つの硬化促進剤、少なくとも１つの硬化遅延剤、少なくとも１つの解凝剤で得られた該粉砕鉱物部分の混合。
【００４４】
本記述の残りは、それぞれ以下の事項を表す表１から5に関する。
-  表 1a: 使用した他のアルミナに関する説明
-  表1b: 使用した他のシリカヒュームに関する説明
-  表2: 表1aで説明した他の種類のアルミナを含む使用した他の種類のコンクリートに関する説明、
-  表3: 表3は、コンクリート(A) (アルミナ(A)を含む)の特性、及び他の混合剤システムと比較した、本発明によるバインダーを含有する20°Cでのコンクリートの特性を示す。なお、これは４種類のシリカヒューム(表1bで規定したFS(V),
FS(W), FS(X)及びFS(Z))に対するものである。
I)  三燐酸ナトリウム補助剤添加 (Na-TPP)
II)  
2009528972.tif 000002
III)  
2009528972.tif 000003
-  表4: 先行技術による他の２種類のコンクリート（(Ａ)及び(B)）と5°C
と20°C の間で本発明によるコンクリート(コンクリート(C)及び (D))との比較
-  表5: 5°CにおいFS(V) 及びFS(W) シリカヒュームで調製した各種コンクリートの特性
【００４５】
例
例1 から 3において、以下の表1aで規定したアルミナ(A)、 (B)、 (C) 及び (D) が使用された。
表 1a
2009528972.tif 000004
【００４６】
d50 (μm): d50の値はμm単位の粒子直径であり、規定したd50の値より小さい直径を持つ粒子が体積で50%、従って直径がd50の同じ値を超える粒子が体積で50%である。
【００４７】
4に等しいd50の値は粒子の体積で50%が粒径で4 μmより小さいことを意味する。
【００４８】
アルミナの粒径分布は、湿式プロセスで操作したクルターLS 230 (Coulter LS 230)装置を用いてレーザー粒度分布測定によって測定される。粉末を入れる液体はアルコールである。 
【００４９】
アルミナ (C) 及び (D)は本発明に従い使用することができる。アルミナ (A) 及び (B) は先行技術の代表例として使用される。 
【００５０】
例1 から 3において、 表1bで規定されたFS(V)、 FS(W)、 FS(X) 及びFS(Z) シリカヒュームが使用された。
表 1b
2009528972.tif 000005
* PaF 1000°C は“1000°Cでの燃焼減量”を意味する。
アルミナ (A)、(B)、 (C) 及び (D)は
以下の組成のコンクリートを調製するために使用された。
表2
2009528972.tif 000006
【００５１】
コンクリートA及びBについて、使用した混合剤はそれぞれの例において規定されている。コンクリートC Dについては、混合剤は本発明によるバインダーのものである。 すべてのコンクリートは一定のCaO含有量(1.5% CaO)で調製されている。
【００５２】
例1
表3 はタイプ(A)のコンクリート (アルミナ(A)及び4種類のシリカヒューム(FS(V), FS(W), FS(X)及び FS(Z))による混和剤システムで調製した)の特性と比較して、本発明によるバインダーを用いて20°C で実現したコンクリートの特性を示す (W), FS(X), and FS(Z)):
I）  三燐酸ナトリウム・混合剤(Na-TPP)
II)  
2009528972.tif 000007
III）  
2009528972.tif 000008
【００５３】
表3 は、本発明によるバインダーで調製された(D)タイプのコンクリートがこの調製のために作られたシリカヒューム(FS(V),
FS(W), FS(X)及び FS(Z))の種類に関係なくワーカビリティの偏差が小さいことを示している。
【００５４】
比較のため、先行技術を代表するタイプ(A)のコンクリートは、使用したシリカヒュームの種類が変わり、使用する混合剤が変われば一定のワーカビリティのコンクリートを実現できないことも観察することができる。
表 ３
2009528972.tif 000009
【００５５】
例 2
例2は、コンクリート(C) 及び(D)と比較して、温度5°C から20°Cの間で本発明によるコンクリートの堅牢性を示す。4つの種類のコンクリートについては使用した混和剤は同一、すなわち本発明によるバインダーの混合剤である。
表 4
2009528972.tif 000010
【００５６】
表4は、本発明によるバインダーで調製したコンクリー(C)及び(D)のワーカビリティ及び硬化に関して性能変動は、5°C と20°Cの間でコンクリートの施工作業温度に関係なく小さいことを示している。 
【００５７】
反対に、コンクリートのワーカビリティ及び硬化に関する性能変動は、本発明によらない、それぞれアルミナ(A) (BET=0.9
m２/g)及びアルミナ(B) (BET=7.5 m２/g)を含むバインダーで調製したコンクリート(A)及び (B)のワーカビリティ及び硬化に関する性能変動は5°C から20°Cの間で施工温度が変化した場合に顕著である。
【００５８】
このように、該出願者は5°Cから20°Cの間で施工作業温度が変化する場合、本発明によるバインダーで調製したコンクリート(C)及び(D)は施工温度が変化した場合でもワーカビリティ及び硬化に関する性能変動が低減していることを示している。
【００５９】
例 3 
例3は使用した混合剤が同一、すなわち本発明によるバインダーのそれである場合、5°Cにおいて、シリカヒュームFS(V)及びFS(W)で調製した異なるコンクリート (A)、 (B)、 (C) 及び (D)の特性を示す。
【００６０】
表 5は、本発明によるバインダーで5°Cで調製したコンクリート(C)及び (D)のワーカビリティ及び硬化に関する性能変動は、使用するシリカヒュームFS(V) またはFS(W)の種類に関係なく小さい。反対に、本発明によらないアルミナ(A) (BET=0.9 m２/g)またはアルミナ(B) (BET=7.5 m２/g)をそれぞれ含むバインダーで5°Cで調製したコンクリート(A)及び
(B)のワーカビリティ及び硬化に関する性能変動は、使用するシリカヒュームの種類が変化したときに顕著である。
【００６１】
このように、該出願者は5°Cから20°Cの間でコンクリートの施工作業温度が低い（5°C）とき、本発明によるバインダーで調製したコンクリート(C)及び(D)は、使用したシリカヒュームの種類が変化した場合でもワーカビリティ及び硬化に関する性能変動が低減していることを示している。
表 5
2009528972.tif 000011
【００６２】
例1から3に示すパラメータは以下に示す操作手順に従い測定したものである。
flowT0
(mm) : ヨーロッパ規格 EN1402-4 に準拠した拡散測定(spreading measure)(フロー)
【００６３】
大側部（large base） ( 100 mm)、 小側部 (small base) (70 mm)で高さが 50 mm の切頭円錐モールドにコンクリートを満たす。コンクリートのフローは以下の条件に基づき振動テーブルで測定する。
振動:振幅 0.5 mm、周波数50 Hzで30 秒
【００６４】
フロー To の値(mm) は混合直後で初期時間コンクリートディスクの平均直径に対応する。
【００６５】
フローT15の値 (mm)は15分後コンクリートディスクの平均直径に対応する。
【００６６】
各フローの測定は、同一のコンクリート質量及び振動テーブルの上で同一の滞留時間で同一の操作手順に従い実施された。従って、すべてのフローT0の値は相互に比較することができる。 
ワーカビリティ(h)または作業時間
ワーカビリティまたは作業時間(WT) はコンクリートのワーカビリティに対応し、従って、それ以上セットアップしない可能性のある端部における時間に対応する。この時間は140mm未満のフローについて到達するものと考えられる。
Toff 
パラメータToffの測定は以下のようにして行われる。
コンクリートは断熱箱に置かれたプラスチックカップ(250ml)に保存される。コンクリートの経時変化を観察する。
【００６７】
Toff (時間表記)は、初期温度（発熱ピークの始まり）に基づきコンクリートの温度が1°C増加した時点の終端に対応する。
ΔToff : 2つのToff値の間の差（時間単位）
Rc : EN1402-5ヨーロッパ規格に従って測定した機械的圧縮強度
6時間Rc : 6時間経過後の機械的圧縮強度
24時間Rc: 24時間経過後の機械的圧縮強度
【００６８】
圧縮時、大きさが30mm x 30mm x 160mmの角柱試験片で試験が実施される。試験片は温度と湿度を管理して室内に保存される。 (相対湿度100%、温度は5 から 20°Cの間で変動).
【国際調査報告】
2009528972.tif 000012
2009528972.tif 000013
2009528972.tif 000014
2009528972.tif 000015
2009528972.tif 000016
2009528972.tif 000017
2009528972.tif 000018
2009528972.tif 000019